(57)【特許請求の範囲】
【請求項１】
異なる二か所で湖水面を横切って夫々フェンスを張り、風向を測定して、風上側のフェンスの上部に湖水の流入口を形成して、風の流れによりプランクトンが存在する湖水面の水を、フェンスで挟まれた領域に導入することを特徴とするプランクトンを含む湖水プランクトンの増殖防止方法。
【請求項２】
異なる二か所で湖水面を横切って夫々フェンスを張り、風向及び風速を測定して、風上側のフェンスの上部に湖水の流入口を形成して、風の流れによりプランクトンが存在する湖水面の水を、フェンスで挟まれた領域に導入することを特徴とするプランクトンを含む湖水プランクトンの増殖防止方法。
【請求項３】
異なる二か所で湖水面を横切って夫々フェンスを張り、風向、風速、プランクトン濃度及び雨量を測定して、風上側のフェンスの上部に湖水の流入口を形成して、風の流れによりプランクトンが存在する湖水面の水を、フェンスで挟まれた領域に導入することを特徴とするプランクトンを含む湖水プランクトンの増殖防止方法。
【発明の詳細な説明】
【０００１】
【産業上の利用分野】
本発明は、植物プランクトンを含む貯水池及び湖沼の水並びに河川水（以下、湖水という）の植物プランクトン増殖防止方法及び装置に関し、特に、貯水池の水中及び湖水中に生存する植物プランクトンを集めて、その増殖を停止して湖水のプランクトンの増殖防止を図る方法及びその装置に関するものである。
【０００２】
【従来の技術】
従来の植物プランクトンを含む湖水の浄化処理、例えば、湖水中に浮遊微生物、即ち植物プランクトンを含む湖水の浄化処理は、湖水に５ｍの高さを有するフェンスを張り、上流側の湖水をより深層経由して下流側に流すようにしている。
これは、湖水の表層水をフェンスで仕切って、栄養塩類を多く含んだ湖水を、光の届かないフェンスの下に流して、植物プランクトンの大量発生を抑制するものである。
【０００３】
しかし、湖水の表層水をフェンスで仕切っても、表層に浮遊する植物プランクトンは、風に流されて移動するために、富栄養化されている湖水面では大量に発生して問題とされている。
本発明は、フェンスにより湖水の富栄養化を遮断して植物プランクトンの発生を防止するにあたり表層に浮遊する植物プランクトンの移動に係る問題点を解決することを目的としている。
【０００４】
【発明が解決しようとする課題】
本発明は、フェンスによる湖水の表層の富栄養化を避け、かつ湖水における植物プランクトンを風の流れにより富栄養化されていない箇所に集めて、植物プランクトンの増殖を防止できる湖水中の植物プランクトンの発生防止方法及び装置を提供することを目的としている。
すなわち、本発明は、異なる二か所で湖水面を横切って夫々フェンスを張り、風向を測定して、風上側のフェンスの上部に湖水の流入口を形成して、風の流れによりプランクトンが存在する湖水面の水を、フェンスで挟まれた領域に導入することを特徴とするプランクトンを含む湖水プランクトンの増殖防止方法にあり、また、本発明は、異なる二か所で湖水面を横切って夫々フェンスを張り、風向及び風速を測定して、風上側のフェンスの上部に湖水の流入口を形成して、風の流れによりプランクトンが存在する湖水面の水を、フェンスで挟まれた領域に導入することを特徴とするプランクトンを含む湖水プランクトンの増殖防止方法にあり、さらに、本発明は、異なる二か所で湖水面を横切って夫々フェンスを張り、風向、風速、プランクトン濃度及び雨量を測定して、風上側のフェンスの上部に湖水の流入口を形成して、風の流れによりプランクトンが存在する湖水面の水を、フェンスで挟まれた領域に導入することを特徴とするプランクトンを含む湖水プランクトンの増殖防止方法にある。
【０００５】
本発明において、湖水の用語は、貯水池、湖沼及び河川の水を意味し、プランクトンの用語は、渦鞭毛藻、緑藻、藍藻、珪藻及びミドリムシ藻など及びその他所謂アオコを引き起こす生物を意味する。
本発明は、プランクトンを含む湖水の上層部を、フェンスを湖水中に吊り下げることにより仕切って、湖水を、光が到達しない深さで、例えば水温が１８℃以下の低温度領域を通過させることにより、植物プランクトンの発生及び増殖を抑制し、かつ上下層の湖水の混合を避けて、湖水の富栄養化を遮断して、植物プランクトンの発生及び増殖を抑制するものである。本発明においては、湖水をこのような領域に導くために、フェンスの下端の位置は、フェンスが付設される貯水池、湖沼及び河川の、水面下の深さと水の温度を計測して求めるのが好ましい。しかし、一般に、光が到達しない深さで、水温が１８℃以下の領域にフェンスの下端を到達させるには、季節及び気象条件によって相違するが、湖水の水面から５ｍ乃至８ｍとするのが好ましい。
【０００６】
本発明において、フェンスを形成するシートは、単位長さのシートを繋いで形成されるので、両端部を補強部材で補強し、該補強部材には、該補強部材の連結用の、紐等を通して結ぶための孔などが形成される。本発明において、フェンスは、その上端がフロートに保持されており、下端は錘が取付けられて、フェンスを垂直に吊り下げるようになっている。本発明において、シートは、皺が形成されないように、水平方向及び垂直方向に補強部材が取り付けられている。
【０００７】
本発明においては、フェンスの上端一部に、一以上の開口部が形成されている。この開口部には、フェンスが設けられておらず、両端部でフロートに連結し、下端部でフェンスに接続する枠体が設けられている。この枠体の枠面には、該枠面に沿って上下動可能に開閉板が、枠体に設けられている支持部材に支持されている。本発明において、開閉板は、シリンダーの作動軸に接続することができ、この場合、開閉板は、シリンダーの作動により、支持部材に支持されながら、前記枠面に沿って上下動する。
また、開閉板の上下動を空気の浮力により行うために、開閉板の上端部に、空気が導入されて膨張し、フロートとして機能する気室を設けることができる。この場合は、気室内に空気を導入することにより、気室を膨張させて、その浮力により枠面に沿って開閉板を上昇させ、気室内の空気を排出して、気室を収縮させて枠面に沿って下降させる
【０００８】
本発明は、湖水面の異なる二か所に、湖水面を横切って、前記開口部を有するフェンスを張り、湖水上の風向を測定して、風上のフェンスの上端部の枠体に設けられている開閉板を移動させて、水面下の開口部を開けて、湖水の流れに漂う植物プランクトンをフェンス間の領域に流入させる。風向が変わったことを、風向計により測定して開閉板を移動させてフェンス開口部を閉鎖する。
本発明において、湖水の流れに漂う植物プランクトンをフェンス間の領域に流入させるには、風向以外に、一定以上の風速であることが必要であり、雨が降っていないことも必要であり、一定値以上のクロロフィル濁度やプランクトン濃度であることも必要である。したがって、本発明においては、風向計の他に、風速計、雨量計、プランクトン濃度計等を設けるのが好ましい。
本発明は、このように風上のフェンスの開口部に設けられている開閉板に、下降位置を採らせて、風の流れにより植物プランクトンを、富栄養化されていないフェンス間の領域に導いて、植物プランクトンを枯渇させ、これにより、植物プランクトンの発生及び増殖を防止する。
【０００９】
【発明の実施の態様】
以下、本発明を添付図面を参照して具体的に説明するが、本発明は以下の説明及び例示によって何ら限定されるものではない。
図１は、本発明のプランクトンの増殖を抑制する方法及び装置の一実施例について、その概略を示す部分的正面図であり、図２は、図１に示した実施例の概略の平面図である。図３は、本発明のプランクトンの増殖を抑制する方法及び装置の他の一実施例について、その概略を示す部分的正面図であり、図４は、図３に示した実施例の概略の平面図である。図５は、本発明のプランクトンの増殖を抑制する方法及び装置の使用態様を示す説明図である。
【００１０】
【実施例】
図１及び図２において、フェンス１は、ポリエステル製のシート部材２で形成されており、複数の発泡スチロール製のフロート部材３に支持されて、貯水池、湖沼や河川の水面下に吊り下げられている。本例において、ポリエステル製のシート部材２は、組み立てが容易なように、横５ｍ、縦１．５ｍの複数の小さいポリエステル製のシートを、縦及び横をサポートベルト（図示されていない）により繋いで形成されており、両端部は、カップリングベルト（図示されていない）で縁取りされている。
【００１１】
本例において、ポリエステル製のシート部材２の上部には、枠体４を配置するために、枠部材係合部分の形状に合わせて抉られており、抉られたシート部材２の端部は、枠部材４の周囲に張り出す接合部５及びシート２のロープ孔６にロープ７を通して取付けられている。フロート３の下部にはシート２がロープにより止められている。
本例において、枠部材４には開閉扉部材８が上下動可能に取付けられている。開閉扉部材８には、枠部材４に据え付けられているシリンダー部材９の作動軸１０が取付けられている。開閉扉部材８の側部には案内車１１が設けられており、枠部材４のコの字形の案内枠１２に移動可能に収容されている。
【００１２】
本例は以上のように構成されているので、風が吹き初めたところで、風上のフェンス１のシリンダー９を作動させ、開閉扉部材８を下降させる。開閉扉部材８が下降すると、枠部材４内の開口１３の開きが大きくなり、さらに開閉扉部材８が下降して、開閉扉部材８の上面１４が水面１５より下に下降すると、水面に漂う植物プランクトンが、風による水面上の流れにより、風上側から開口１３を通って吹き寄せられる。風の向きが変わったとき、風が止んだときには、シリンダー９を作動させて、開閉扉部材８を上昇させて、開閉扉部材８の上面を水面上に上げて、開口１３からの湖水の流れ込みを停止する。本例においては、配線１６を接続する電動式シリンダー９を使用しているが、エアシリンダーや油圧シリンダー等を使用することができ、またモータ駆動とすることもできる。
【００１３】
図３及び図４に示す実施例は、図１及び図２の実施例のシリンダーに代えて、シート２に気室１７を設けた点で相違するものである。即ち、開閉扉部材８の上部に気室１７が水平方向に設けられている。図３及び図４には、気室１７は空気により膨らんで、開閉扉部材８が上昇した状態を示しており、開閉扉部材８の上面１４が水面１５より上に位置している。気室１７には、空気配管１８が接続しており、この空気配管１８により、気室１７に空気を導入したり、又は気室１７から空気を排出する。
【００１４】
本例は以上のように構成されているので、風が吹き始めたところで、風上のフェンス１の気室１７から空気配管１８を介して空気を排出する。この空気の排出により、開閉扉部材８は下降し、開閉扉部材８の上面１４が水面１５より下に下降すると、水面に漂う植物プランクトンが、風による水面上の流れにより、風上側から開口１３を通って吹き寄せられる。風の向きが変わったとき、又は風が止んだときには、地上に配置されているコンプレッサーにより、空気配管１８から空気を送り、開閉扉部材８を上昇させて、開閉扉部材８の上面を水面上に上げて、開口１３からの湖水の流れ込みを停止する。
【００１５】
図５に示すフェンス１には、風向風速計１９及び太陽電池及び蓄電池を備える電源部２０が設けられている。この他にクロロフィル濁度計が設けられる。クロロフィル濁度計が所定の濃度を越える濁度を示しているときに、風向風速計１９が所定の風速の風が吹き始めたところで、風上側のフェンスの開口部２１の枠部材７の開閉扉部材８を降下させるように、電源部２０が動作し、開口部２１に水面１５下に開口１３が形成され、水面に漂う植物プランクトンが、風による水面上の流れにより、風上側から開口１３を通って吹き寄せられる。風向風速計１９が風の向きが変わってフェンス１が風下となったときは、フェンス１の開閉扉部材８が上昇するように、電源部２０が動作して、フェンス１の開口部２１の水面下に形成されている開口１３を閉じる。このとき、他方のフェンスの側のプランクトン濃度が大きいときは、他方のフェンスの開口部２１の水面下に開口を形成し、他方のフェンスの開口部から、水面に漂う植物プランクトンが、風による水面上の流れにより、風上側から開口１３を通って吹き寄せられる。
このように、二つのフェンスに囲われた領域は、富栄養化されていないから、この領域に送り込まれた植物プランクトンは、増殖することができず、枯渇することとなる。
【００１６】
【発明の効果】
本発明は、異なる二か所で湖水面を横切って夫々フェンスを張り、風向を測定して、風上側のフェンスの上部に湖水の流入口を形成して、風の流れによりプランクトンが存在する湖水面の水を、フェンスで挟まれた領域に導入するので、植物プランクトンは富栄養化されていない領域に導入されることとなって、植物プランクトンの枯渇を促進させることができる。
本発明によると、湖水の浄化を比較的簡単な構造で行うことができ、プランクトンによる貯水池や湖沼の水等の液体の汚れを解消することができる。また、従来方法に比して、プランクトンの種類や特性によってプランクトン除去効率が影響されることなく、経済的且つ高効率に、貯水池や湖沼の水等の液体の浄化処理が可能となる。
【図面の簡単な説明】
【図１】本発明のプランクトンの増殖を抑制する方法及び装置の一実施例について、その概略を示す部分的正面図である。
【図２】図１に示した実施例の概略の平面図である。
【図３】本発明のプランクトンの増殖を抑制する方法及び装置の他の一実施例について、その概略を示す部分的正面図である。
【図４】図３に示した実施例の概略の平面図である。
【図５】本発明のプランクトンの増殖を抑制する方法及び装置の使用態様を示す説明図である。
【符号の説明】
１  フェンス
２  ポリエステル製のシート
３  フロート
４  枠部材
５  接合部
６  ロープ孔
７  ロープ
８  開閉扉部材
９  シリンダー部材
１０  作動軸
１１  案内車
１２  案内枠
１３  開閉扉部材８の開口
１４  開閉扉部材８の上面
１５  水面
１６  配線
１７  気室
１８  空気配管
１９  風向風速計
２０  電源部
２１  フエンス１の開口部
【図１】
0003805424.tif 000002
【図２】
0003805424.tif 000003
【図３】
0003805424.tif 000004
【図４】
0003805424.tif 000005
【図５】
0003805424.tif 000006